(57)【要約】【課題】測定業者のスケジュールを調整してダイオキシン測定業務の迅速化を図る。【解決手段】ダイオキシン測定の対象となる産業設備１２１ａ〜１２１ｃに関する受注の入力を行う顧客端末１２０ａ〜１２０ｃと、産業設備１２１ａ〜１２１ｃに関する設備情報およびダイオキシン測定業務を行う測定業者１３０に関する測定業者情報を少なくとも格納するデータベース１１１およびスケジューラ１１３を有するスケジュール調整サーバ１１０とを備え、測定業者情報は、測定業者１３０の有する、ダイオキシン測定に用いられる分析装置１３１ａ〜１３１っに関し、その個数、種類、操作に必要な人員の数、利用状況の全部または一部を含む。【選択図】  図１
2004213079.tif 000002
【特許請求の範囲】
【請求項１】
所定の設備に対するダイオキシン測定の発注に関する発注関連入力を行う入力手段を有する第１装置と、
ダイオキシン測定業務を行う測定業者に関する測定業者情報の入力を行う入力手段を有する第２装置と、
前記ダイオキシン測定に必要なサンプルを前記所定の設備から採取するサンプリング業者に関するサンプリング業者情報を入力する入力手段を備えた第３装置と、
前記所定の設備に関する設備情報を格納する設備情報格納データベースと、前記測定業者情報を格納する測定業者情報データベースと、前記サンプリング業者情報を格納するサンプリング業者情報データベースと、前記発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段とを有する第４装置とを備え、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるダイオキシン測定スケジュール調整システム。
【請求項２】
前記第１装置、前記第２装置、前記第３装置および前記第４装置のいずれかと通信可能な第５装置をさらに備え、
前記第５装置は、前記所定の設備の稼働状態に基づき、ダイオキシンと相関関係がある物質に関する情報をセンシングするセンシング手段を有し、
前記第４装置は、前記センシング手段のセンシング結果から、前記所定の設備から、あらかじめ定めた基準値以上のダイオキシンが検出される恐れがあるかどうかを判断する判断手段をさらに備えた請求項１に記載のダイオキシン測定スケジュール調整システム。
【請求項３】
前記第４装置は、前記所定の設備のメンテナンスを行うメンテナンス業者に関するメンテナンス業者情報を蓄積したメンテナンス業者データベースをさらに備え、
前記第１装置から前記発注関連入力を受けると、または前記測定業者から所定の連絡を受けると、前記設備情報および前記メンテナンス業者情報に基づき、前記所定の設備に対するメンテナンスを行う前記メンテナンス業者のスケジュールを設定する請求項１または請求項２に記載のダイオキシン測定スケジュール調整システム。
【請求項４】
ダイオキシン測定の対象となる所定の設備に関する設備情報を格納する設備情報格納データベースと、
ダイオキシン測定業務を行う測定業者に関する測定業者情報を格納する測定業者情報データベースと、
前記ダイオキシン測定に必要なサンプルを前記所定の設備から採取するサンプリング業者に関するサンプリング業者情報を格納するサンプリング業者情報データベースと、
前記ダイオキシン測定の発注に関する発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段と備え、前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるダイオキシン測定スケジュール調整装置。
【請求項５】
前記所定の設備の稼働状態に基づき、ダイオキシンと相関関係がある物質に関する情報をセンシングするセンシング手段を有するセンシング装置からそのセンシングの結果を取得して、前記所定の設備から、あらかじめ定めた基準値以上のダイオキシンが検出される恐れがあるかどうかを判断する判断手段をさらに備えた請求項４に記載のダイオキシン測定スケジュール調整装置。
【請求項６】
前記所定の設備のメンテナンスを行うメンテナンス業者に関するメンテナンス業者情報を蓄積したメンテナンス業者データベースをさらに備え、
前記発注関連入力を受けると、または前記測定業者から所定の連絡を受けると、前記設備情報および前記メンテナンス業者情報に基づき、前記所定の設備に対するメンテナンスを行う前記メンテナンス業者のスケジュールを設定する請求項４または５に記載のダイオキシン測定スケジュール調整装置。
【請求項７】
所定の設備に対するダイオキシン測定の発注に関する発注関連入力を行う入力手段を備え、
前記所定の設備に関する設備情報を格納する設備情報格納データベースと、ダイオキシン測定業務を行う測定業者に関する測定業者情報を格納する測定業者情報データベースと、前記ダイオキシン測定に必要なサンプルを前記所定の設備から採取するサンプリング業者に関するサンプリング業者情報を格納するサンプリング業者情報データベースと、前記発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段とを有するダイオキシン測定スケジュール調整装置に、前記発注関連入力を行い、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいる発注関連入力端末。
【請求項８】
ダイオキシン測定業務を行う測定業者に関する測定業者情報の入力を行う入力手段を備え、
ダイオキシン測定の対象となる所定の設備に関する設備情報を格納する設備情報格納データベースと、前記測定業者情報を格納する測定業者情報データベースと、前記ダイオキシン測定に必要なサンプルを前記所定の設備から採取するサンプリング業者に関するサンプリング業者情報を格納するサンプリング業者情報データベースと、所定の設備に対するダイオキシン測定の発注に関する発注関連入力を受けると、前記発注関連入力に含まれる前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段とを有するダイオキシン測定スケジュール調整装置に、前記測定業者情報の入力を行い、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいる測定業者情報入力端末。
【請求項９】
ダイオキシン測定に必要なサンプルを前記所定の設備から採取するサンプリング業者に関するサンプリング業者情報の入力を行う入力手段を備え、
ダイオキシン測定の対象となる所定の設備に関する設備情報を格納する設備情報格納データベースと、ダイオキシン測定業務を行う測定業者に関する測定業者情報を格納する測定業者情報データベースと、前記サンプリング業者情報を格納するサンプリング業者情報データベースと、所定の設備に対するダイオキシン測定の発注に関する発注関連入力を受けると、前記発注関連入力に含まれる前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段とを有するダイオキシン測定スケジュール調整装置に、前記サンプリング業者情報の入力を行い、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるサンプリング業者情報入力端末。
【請求項１０】
ダイオキシン測定の対象となる所定の設備の稼働状態に基づき、前記ダイオキシンと相関関係がある物質に関する情報をセンシングするセンシング手段を備え、
前記センシング手段のセンシング結果は、所定のダイオキシン測定スケジュール調整装置において、
前記所定の設備からダイオキシンが検出される恐れがあるかどうかを判断に用いられ、
前記ダイオキシン測定スケジュール測定装置は、前記所定の設備に関する設備情報を格納する設備情報格納データベースと、ダイオキシン測定業務を行う測定業者に関する測定業者情報を格納する測定業者情報データベースと、前記ダイオキシン測定に必要なサンプルを前記所定の設備から採取するサンプリング業者に関するサンプリング業者情報を格納するサンプリング業者情報データベースと、前記所定の設備に対するダイオキシン測定の発注に関する発注関連入力を受けると、前記発注関連入力に含まれる前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段と備え、前記測定業者情報は、前記測定業者の有する、ダイオキシン測定に用いられる分析機器に関し、その個数、種類、操作に必要な人員の数、利用状況の全部または一部を含んでおり、前記サンプリング業者情報は、前記サンプリング業者の有する、前記サンプルの採取に必要な設備に関し、その個数、種類、操作に必要な人員の数、利用状況の全部または一部を含んでいるものである、
センシング端末。
【請求項１１】
所定の設備に対するダイオキシン測定の発注に関する発注関連入力を行う工程と、
ダイオキシン測定業務を行う測定業者に関する測定業者情報の入力を行う工程と、
前記ダイオキシン測定に必要なサンプルを前記所定の設備から採取するサンプリング業者に関するサンプリング業者情報を入力する工程と、
前記所定の設備に関する設備情報を格納する設備情報格納データベースと、前記測定業者情報を格納する測定業者情報データベースと、前記サンプリング業者情報を格納するサンプリング業者情報データベースとを用い、
前記発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する工程とを備え、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるダイオキシン測定スケジュール調整方法。
【請求項１２】
ダイオキシン測定の対象となる所定の設備に関する所定の設備に関する設備情報を格納する工程と、
ダイオキシン測定業務を行う測定業者に関する測定業者情報を格納する工程と、
前記ダイオキシン測定に必要なサンプルを前記所定の設備から採取するサンプリング業者に関するサンプリング業者情報を格納する工程と、
前記所定の設備に対するダイオキシン測定の発注に関する発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する工程とを備え、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるダイオキシン測定スケジュール調整方法。
【請求項１３】
請求項１に記載のダイオキシン測定スケジュール調整システムの、前記第１装置の所定の設備に対するダイオキシン測定の発注に関する発注関連入力を行う入力手段と、前記第２装置のダイオキシン測定業務を行う測定業者に関する測定業者情報の入力を行う入力手段と、前記第３装置の前記ダイオキシン測定に必要なサンプルを前記所定の設備から採取するサンプリング業者に関するサンプリング業者情報を入力する入力手段と、
前記第４装置の、前記所定の設備に関する設備情報を格納する設備情報格納データベースと、前記測定業者情報を格納する測定業者情報データベースと、前記サンプリング業者情報を格納するサンプリング業者情報データベースと、前記発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段としてコンピュータを機能させるためのプログラム。
【請求項１４】
請求項４に記載のダイオキシン測定スケジュール調整装置の、ダイオキシン測定の対象となる所定の設備に関する設備情報を格納する設備情報格納データベースと、ダイオキシン測定業務を行う測定業者に関する測定業者情報を格納する測定業者情報データベースと、前記ダイオキシン測定に必要なサンプルを前記所定の設備から採取するサンプリング業者に関するサンプリング業者情報を格納するサンプリング業者情報データベースと、前記所定の設備に対するダイオキシン測定の発注に関する発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段としてコンピュータを機能させるためのプログラム。
【請求項１５】
請求項１３に記載のプログラムを担持した記録媒体であって、コンピュータにより処理可能な記録媒体。
【請求項１６】
請求項１４に記載のプログラムを担持した記録媒体であって、コンピュータにより処理可能な記録媒体。
【発明の詳細な説明】
【０００１】
【発明の属する技術分野】
本発明は、ダイオキシンの測定業者等の調整を行うダイオキシン測定スケジュール調整システム、ダイオキシン測定スケジュール調整方法等に関する。
【０００２】
【従来の技術】
近年、地球環境の保全に対する関心がとみに高まり、産業廃棄物の適切な処理が求められるようになっている。有機塩素化合物等の有害物質は、その利用が法的にも規制されており、とりわけダイオキシンは、廃棄物処理等の過程で発生するものでもあるため、対象となる設備は、年１回のダイオキシン測定が義務づけられている。また、当該設備の使用者に対して、今後は年数回の自主的な測定が義務づけられる方向にあり、ダイオキシン測定の必要性はますます増加すると考えられる。
【０００３】
２００１年１２月現在、このような設備は全国に２万台以上あり、全国に分散しており、その規模の大小や、排出物の種類も異なる。また、設備ごとに測定されるダイオキシンの濃度にもばらつきがある。
【０００４】
【発明が解決しようとする課題】
そのような設備におけるダイオキシンの測定には、一サンプル当たりの費用が３０〜４０万円かかり、しかもサンプルの分析結果が判明するまでには１〜３ヶ月の期間がかかる。
【０００５】
ダイオキシン測定がコスト高かつ時間がかかる理由としては、主に以下のようなものが挙げられる。すなわち、測定には、設備が設置された場所から排ガス等のサンプルを採取するサンプリングと、サンプルの分析を行う分析との二段階の作業が必要となる。
【０００６】
サンプリングは、個別の注文ごとにより行われるようになっており、しかも設備の規模やその稼働状況、種類に応じてサンプリングのための準備やサンプリング方法の手順は異なっている。例えば、日中しか稼働しない小規模なゴミ焼却炉と、２４時間稼働させる必要のある大規模なゴミ焼却炉とでは、サンプリングを行おうとする時間の設定や、サンプルを採取すべき場所等も当然異なる。
【０００７】
また分析は、分析値が事前に予測できない場合は、大まかな数値を得るための予備テストと、正確な数値を得るための本分析との２工程を行うため、時間がかかる。さらに一日に行うことのできる分析の数は、分析装置にかけるためのサンプルの前処理工程（分析対象物と不純物との分離、など）の時間と分析装置の台数で決まり、分析の注文が込み入っていると順番待ちとなり、多大な日数を要する。
【０００８】
また、設備が設置された場所から排ガス等のサンプルを採取するサンプリングの工程と、サンプルの分析の工程とのスケジュールが合致しないと、サンプルの採取から分析まで非常に時間がかかることになる。
【０００９】
さらに、現状のダイオキシン測定は、ダイオキシン分析業務のみを行う専門会社で実施されることがほとんどであり、対象設備のモニタリングやメンテナンス業務までこなすことは不可能であるという問題もあった。
【００１０】
本発明は、上記の課題に鑑みてなされたものであり、ダイオキシン測定業務の迅速化を図るとともに、対象設備のモニタリングおよびメンテナンスサービスを容易に行うことができるダイオキシン測定スケジュール調整システム等を提供することを目的とする。
【００１１】
【課題を解決するための手段】
上記の目的を達成するために、第１の本発明は、所定の設備に対するダイオキシン測定の発注に関する発注関連入力を行う入力手段を有する第１装置（１２０ａ〜１２０ｃ）と、
ダイオキシン測定業務を行う測定業者に関する測定業者情報の入力を行う入力手段を有する第２装置（１３０，１４０）と、
前記ダイオキシン測定に必要なサンプルを前記所定の設備から採取するサンプリング業者に関するサンプリング業者情報を入力する入力手段を備えた第３装置（１５０）と、
前記所定の設備に関する設備情報を格納する設備情報格納データベース（１１１ａ、１１３）と、前記測定業者情報を格納する測定業者情報データベース（１１１ｂ、１１３）と、前記サンプリング業者情報を格納するサンプリング業者情報データベース（１１１ｃ、１１３）と、前記発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段（１１２）とを有する第４装置（１１０）とを備え、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるダイオキシン測定スケジュール調整システムである。
【００１２】
また、第２の本発明は、前記第１装置、前記第２装置、前記第３装置および前記第４装置のいずれかと通信可能な第５装置（１６０）をさらに備え、
前記第５装置は、前記所定の設備の稼働状態に基づき、ダイオキシンと相関関係がある物質に関する情報をセンシングするセンシング手段（１６１）を有し、
前記第４装置は、前記センシング手段のセンシング結果から、前記所定の設備から、あらかじめ定めた基準値以上のダイオキシンが検出される恐れがあるかどうかを判断する判断手段（１１４）をさらに備えた第１の本発明のダイオキシン測定スケジュール調整システムである。
【００１３】
また、第３の本発明は、前記第４装置は、前記所定の設備のメンテナンスを行うメンテナンス業者に関するメンテナンス業者情報を蓄積したメンテナンス業者データベース（１１１，１７１）をさらに備え、
前記第１装置から前記発注関連入力を受けると、または前記測定業者から所定の連絡を受けると、前記設備情報および前記メンテナンス業者情報に基づき、前記所定の設備に対するメンテナンスを行う前記メンテナンス業者のスケジュールを設定する第１または第２の本発明のダイオキシン測定スケジュール調整システムである。
【００１４】
また、第４の本発明は、ダイオキシン測定の対象となる所定の設備に関する設備情報を格納する設備情報格納データベース（１１１ａ）と、
ダイオキシン測定業務を行う測定業者に関する測定業者情報を格納する測定業者情報データベース（１１１ｂ）と、
前記ダイオキシン測定に必要なサンプルを前記所定の設備から採取するサンプリング業者に関するサンプリング業者情報を格納するサンプリング業者情報データベース（１１１ｃ）と、
前記ダイオキシン測定の発注に関する発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段（１１２）と備え、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるダイオキシン測定スケジュール調整装置（１１０）である。
【００１５】
また、第５の本発明は、前記所定の設備の稼働状態に基づき、ダイオキシンと相関関係がある物質に関する情報をセンシングするセンシング手段を有するセンシング装置からそのセンシングの結果を取得して、前記所定の設備から、あらかじめ定めた基準値以上のダイオキシンが検出される恐れがあるかどうかを判断する判断手段をさらに備えた第４の本発明のダイオキシン測定スケジュール調整装置である。
【００１６】
また、第６の本発明は、前記所定の設備のメンテナンスを行うメンテナンス業者に関するメンテナンス業者情報を蓄積したメンテナンス業者データベース（１１１，１１３）をさらに備え、
前記発注関連入力を受けると、または前記測定業者から所定の連絡を受けると、前記設備情報および前記メンテナンス業者情報に基づき、前記所定の設備に対するメンテナンスを行う前記メンテナンス業者のスケジュールを設定する第４または第５の本発明のダイオキシン測定スケジュール調整装置である。
【００１７】
また、第７の本発明は、所定の設備に対するダイオキシン測定の発注に関する発注関連入力を行う入力手段を備え、
前記所定の設備に関する設備情報を格納する設備情報格納データベースと、ダイオキシン測定業務を行う測定業者に関する測定業者情報を格納する測定業者情報データベースと、前記ダイオキシン測定に必要なサンプルを前記所定の設備から採取するサンプリング業者に関するサンプリング業者情報を格納するサンプリング業者情報データベースと、前記発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段とを有するダイオキシン測定スケジュール調整装置に、前記発注関連入力を行い、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいる発注関連入力端末（１２０ａ〜１２０ｃ）である。
【００１８】
また、第８の本発明は、ダイオキシン測定業務を行う測定業者に関する測定業者情報の入力を行う入力手段を備え、
ダイオキシン測定の対象となる所定の設備に関する設備情報を格納する設備情報格納データベースと、前記測定業者情報を格納する測定業者情報データベースと、前記ダイオキシン測定に必要なサンプルを前記所定の設備から採取するサンプリング業者に関するサンプリング業者情報を格納するサンプリング業者情報データベースと、所定の設備に対するダイオキシン測定の発注に関する発注関連入力を受けると、前記発注関連入力に含まれる前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段とを有するダイオキシン測定スケジュール調整装置に、前記測定業者情報の入力を行い、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいる測定業者情報入力端末（１３０，１４０）である。
【００１９】
また、第９の本発明は、ダイオキシン測定に必要なサンプルを前記所定の設備から採取するサンプリング業者に関するサンプリング業者情報の入力を行う入力手段を備え、
ダイオキシン測定の対象となる所定の設備に関する設備情報を格納する設備情報格納データベースと、ダイオキシン測定業務を行う測定業者に関する測定業者情報を格納する測定業者情報データベースと、前記サンプリング業者情報を格納するサンプリング業者情報データベースと、所定の設備に対するダイオキシン測定の発注に関する発注関連入力を受けると、前記発注関連入力に含まれる前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段とを有するダイオキシン測定スケジュール調整装置に、前記サンプリング業者情報の入力を行い、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるサンプリング業者情報入力端末（１５０）である。
【００２０】
また、第１０の本発明は、ダイオキシン測定の対象となる所定の設備の稼働状態に基づき、前記ダイオキシンと相関関係がある物質に関する情報をセンシングするセンシング手段（１６１）を備え、
前記センシング手段のセンシング結果は、所定のダイオキシン測定スケジュール調整装置において、
前記所定の設備からダイオキシンが検出される恐れがあるかどうかを判断に用いられ、
前記ダイオキシン測定スケジュール測定装置は、前記所定の設備に関する設備情報を格納する設備情報格納データベースと、ダイオキシン測定業務を行う測定業者に関する測定業者情報を格納する測定業者情報データベースと、前記ダイオキシン測定に必要なサンプルを前記所定の設備から採取するサンプリング業者に関するサンプリング業者情報を格納するサンプリング業者情報データベースと、前記所定の設備に対するダイオキシン測定の発注に関する発注関連入力を受けると、前記発注関連入力に含まれる前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段と備え、前記測定業者情報は、前記測定業者の有する、ダイオキシン測定に用いられる分析機器に関し、その個数、種類、操作に必要な人員の数、利用状況の全部または一部を含んでおり、前記サンプリング業者情報は、前記サンプリング業者の有する、前記サンプルの採取に必要な設備に関し、その個数、種類、操作に必要な人員の数、利用状況の全部または一部を含んでいるものである、センシング端末（１６０）である。
【００２１】
また、第１１の本発明は、所定の設備に対するダイオキシン測定の発注に関する発注関連入力を行う工程と、
ダイオキシン測定業務を行う測定業者に関する測定業者情報の入力を行う工程と、
前記ダイオキシン測定に必要なサンプルを前記所定の設備から採取するサンプリング業者に関するサンプリング業者情報を入力する工程と、
前記所定の設備に関する設備情報を格納する設備情報格納データベースと、前記測定業者情報を格納する測定業者情報データベースと、前記サンプリング業者情報を格納するサンプリング業者情報データベースとを用い、
前記発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する工程とを備え、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるダイオキシン測定スケジュール調整方法である。
【００２２】
また、第１２の本発明は、ダイオキシン測定の対象となる所定の設備に関する所定の設備に関する設備情報を格納する工程と、
ダイオキシン測定業務を行う測定業者に関する測定業者情報を格納する工程と、
前記ダイオキシン測定に必要なサンプルを前記所定の設備から採取するサンプリング業者に関するサンプリング業者情報を格納する工程と、
前記所定の設備に対するダイオキシン測定の発注に関する発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する工程とを備え、
前記測定業者情報は、前記測定業者の有する、ダイオキシン測定に用いられる分析機器に関し、その個数、種類、操作に必要な人員の数、利用状況の全部または一部を含んでおり、
前記サンプリング業者情報は、前記サンプリング業者の有する、前記サンプルの採取に必要な設備に関し、その個数、種類、操作に必要な人員の数、利用状況の全部または一部を含んでいるダイオキシン測定スケジュール調整方法である。
【００２３】
また、第１３の本発明は、第１の本発明のダイオキシン測定スケジュール調整システムの、前記第１装置の所定の設備に対するダイオキシン測定の発注に関する発注関連入力を行う入力手段と、前記第２装置のダイオキシン測定業務を行う測定業者に関する測定業者情報の入力を行う入力手段と、前記第３装置の前記ダイオキシン測定に必要なサンプルを前記所定の設備から採取するサンプリング業者に関するサンプリング業者情報を入力する入力手段と、
前記第４装置の、前記所定の設備に関する設備情報を格納する設備情報格納データベースと、前記測定業者情報を格納する測定業者情報データベースと、前記サンプリング業者情報を格納するサンプリング業者情報データベースと、前記発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段としてコンピュータを機能させるためのプログラムである。
【００２４】
また、第１４の本発明は、第４の本発明のダイオキシン測定スケジュール調整装置の、ダイオキシン測定の対象となる所定の設備に関する設備情報を格納する設備情報格納データベースと、ダイオキシン測定業務を行う測定業者に関する測定業者情報を格納する測定業者情報データベースと、前記ダイオキシン測定に必要なサンプルを前記所定の設備から採取するサンプリング業者に関するサンプリング業者情報を格納するサンプリング業者情報データベースと、前記所定の設備に対するダイオキシン測定の発注に関する発注関連入力を受けると、前記発注関連入力により指定される前記所定の設備に関する情報、前記測定業者情報、前記サンプリング業者情報に基づき、前記所定の設備に対しダイオキシン測定を行う前記測定業者の候補および／または前記所定の設備から、前記ダイオキシン測定に必要なサンプルを採取するためのサンプリング業者を選定する選定手段としてコンピュータを機能させるためのプログラムである。
【００２５】
また、第１５の本発明は、第１３の本発明のプログラムを担持した記録媒体であって、コンピュータにより処理可能な記録媒体である。
【００２６】
また、第１６の本発明は、第１４の本発明のプログラムを担持した記録媒体であって、コンピュータにより処理可能な記録媒体である。
【００２７】
以上のような本発明は、その一例として、インターネットを利用して、ダイオキシン測定や、そのためのサンプリング業務の注文を受け付けたり、ダイオキシン設備モニタリングおよびメンテナンスサービスの迅速化を図る。各分析会社のサンプリング担当者、測定担当者の日程や分析機器の稼働状況を一元管理し、分析システムも標準化しておき、人員派遣やサンプル配送での情報伝達の遅れを防ぐ。また、対象設備のダイオキシンの排出情報データを把握してダイオキシン測定の迅速化を図る。また、測定結果のモニタリングを行い、定期的な設備診断結果を基にメンテナンスやモニタリングを行う。
【００２８】
【発明の実施の形態】
以下、本発明の実施の形態を、図面を参照して説明する。
【００２９】
（実施の形態１）
図１は、本発明の実施の形態１におけるダイオキシン測定スケジュール調整システムの構成図である。図１において、ダイオキシン測定スケジュール調整システム１００は、スケジュール調整サーバ１１０、スケジュール調整サーバ１１０と接続した複数の顧客端末１２０ａ〜１２０ｃ、スケジュール調整サーバ１１０と接続した測定業者端末１３０、１４０およびサンプリング業者端末１５０とを備えている。顧客端末１２０ａ〜１２０ｃはそれぞれ独立にスケジュール調整サーバ１１０と接続しており、同様に、測定業者端末１３０およびサンプリング業者端末１５０も独立にスケジュール調整サーバ１１０と接続する。
【００３０】
顧客端末１２０ａ〜１２０ｃは、それぞれダイオキシン測定が必要な産業設備１２１ａ〜１２１ｃをそれぞれ保有する顧客１２２ａ〜１２２ｃがそれぞれ一台ずつ有しているものであり、専用のプログラムにて動作するウェブブラウザ等のＧＵＩを表示するディスプレイ、前記ＧＵＩを介して入力を行うためのキーボード、マウスにより実現される入力手段１２３ａ〜１２３ｃをそれぞれ備えたコンピュータとして実現される。
【００３１】
また、測定業者端末１３０は、ダイオキシンの測定が可能な分析装置１３１ａ〜１３１ｃを保有する測定会社１３２が一台有しているものである。同様に、測定業者端末１４０は、分析装置１４１ａ、１４１ｂを保有する測定会社１４２が一台有しているものである。各端末は、顧客端末と同様の構成を有する入力手段１３３，１４３をそれぞれ備えている。
【００３２】
また、サンプリング業者端末１５０は、産業設備から分析対象となるサンプルを採取するサンプリング会社１５１が一台有しているものであり、顧客端末、測定業者端末と同様の構成を有する入力手段１５２を備えている。
【００３３】
また、スケジュール調整サーバ１１０は、後述する、顧客１２２ａ〜１２２ｃに関するデータを格納する顧客情報データベース１１１ａ、測定会社１３２、１４２に関するデータを格納する測定会社データベース１１１ｂおよびサンプリング会社１５１に関するデータを格納するサンプリング会社データベース１１１ｃから構成された、一例としてハードディスクドライブおよびその入出力インタフェースとして実現されるデータベース１１１と、顧客端末１２０ａ〜１２０ｃからの入力に基づきデータベース１１１内のデータを検索する検索手段１１２および検索結果に基づき生成されたデータを蓄積する、例えば、ネットワーク通信可能なコンピュータおよびそれと協働するプログラムにて実現されるスケジューラ１１３とを備えている。
【００３４】
なお、スケジュール調整サーバ１１０と、顧客端末１２０、測定業者端末１３０および１４０、サンプリング業者端末１５０との間の通信回線は、インターネット等の公衆ネットワーク回線でも良いし、独自に敷設した専用回線でも良い。以下、通信はインターネットを介して行われるものとして説明を行う。
【００３５】
また、スケジュール調整サーバ１１０は、測定業者１３２、１４２がそれぞれ保有する分析装置１３１ａ〜１３１ｃ、１４１ａ、１４１ｂに関し、その設置場所、個数、種類、操作に必要な人員の数、その利用に際して発生するコスト、分析に要する時間、依頼から分析結果報告までの納期等の情報を測定業者情報として測定会社データベース１１１ｂに格納している。また、サンプリング会社１５１の人員、処理能力の情報を、サンプリング業者情報としてサンプリング会社データベース１１１ｃに格納している。
【００３６】
さらに分析装置１３１ａ〜１３１ｃ、１４１ａ、１４１ｂの現在および未来の利用状況は、測定業者情報の一部としてスケジューラ１１３に格納されている。同様に、サンプリング会社１５１の現在および未来の業務予定が、サンプリング業者情報の一部としてスケジューラ１１３に格納されている。なお、各分析装置の利用状況は、測定業者１３２、１４２からの申告により設定する情報であってもよいし、分析装置を、測定業者端末１３０、１４０もしくは測定業者１３２、１４２が有する他の通信可能な端末とオンライン接続することによって、分析装置から直接取得するようにしても良い。また、サンプリング会社１５１の業務予定は、サンプリング会社１５１からの申告により設定される情報である。
【００３７】
さらに、スケジュール調整サーバ１１０は、顧客１２２ａ〜１２２ｃがそれぞれ保有する産業設備１２１ａ〜１２１ｃに関する、シリアルナンバー、種類、定格、製造年月日等の情報を設備情報としてデータベース１１１に格納している。なお、設備情報は、産業設備に関する情報であれば、上記以外の情報であっても良い。また、上記情報の一部を含むものであっても良い。
【００３８】
ここで、スケジュール調整サーバ１１０は測定業者情報、サンプリング業者情報および設備情報を、それぞれの顧客端末１２０ａ〜１２０ｃ、測定業者端末１３０、サンプリング業者端末１５０による通信にて得られるものとしてもよいし、顧客１２２ａ〜１２２ｃ、測定業者１３２および１４２、サンプリング会社１５１からの電話連絡他の別途の手段によって取得するものとしてもよい。インターネットを用いる場合は、電子メールや、情報入力インタフェースを備えたウェブページにて実現することが望ましい。
【００３９】
さらに、測定業者情報は、測定業者１３２，１４２と一意に対応づけられた測定業者ＩＤによって管理され、測定業者１３２，１４２以外の他の測定業者からのアクセスによって内容が書き替えられることがないようにされている。同様に、設備情報およびサンプリング業者情報も、顧客１２２ａ〜１２２ｃおよびサンプリング会社１５１とそれぞれ個別かつ一意に対応づけられた顧客ＩＤおよびサンプリング会社ＩＤによって管理され、第三者の不正なアクセスにより、顧客の設備情報やサンプリング業者情報を閲覧したり、その内容を書き替えたりすることがないようにされている。
【００４０】
以下、図２のタイムチャートを参照して、本発明の実施の形態１によるダイオキシン測定スケジュール調整システムの動作を説明するとともに、これにより、本発明のダイオキシン測定スケジュール調整装置、発注関連入力端末、測定業者情報入力端末、サンプリング業者入力端末の動作およびダイオキシン測定スケジュール調整方法について説明を行う。
【００４１】
はじめに、顧客端末１２０ａがスケジュール調整サーバ１１０にアクセスする（ステップ２００）。このとき、スケジューラ１１３およびデータベース１１０には、外部からの閲覧を許可するための閲覧用コードが設定されており、この閲覧用コードは顧客１２２ａ〜１２２ｃに共通に配布されているものとする。顧客端末１２０ａは、顧客１２２ａに設定されたＩＤと、この閲覧用コードとを一組の情報としてスケジュール調整サーバ１１０に送信し、スケジュール調整サーバ１１０は、この情報を照合することにより、スケジューラ１１３およびデータベース１１１の測定会社データベース１１１ｂおよび１１１ｃへのアクセスを許可する。
【００４２】
顧客端末１２０ａは、スケジューラ１１３および測定会社データベース１１１ｂおよび１１１ｃへのアクセスを許可されると、顧客１２２ａは、産業設備１２１ａのダイオキシン測定を依頼するための、発注見積の入力を行う。発注見積の入力の具体的な内容は、ここではダイオキシン測定を希望する日時であるものとする。
【００４３】
発注見積の入力を受けると、検索手段１１２は、顧客端末１２０ａから受信した顧客１２２ａのＩＤを用いて、データベース１１１ａから顧客１２０ａの保有する産業設備１２１ａの設備情報を検索する。
【００４４】
次いで検索手段１１２は、測定会社データベース１１１ｂ、１１１ｃから産業設備１２１ａの設備情報に対応した測定業者情報およびサンプリング業者情報を検索する。今回の場合、測定業者は測定業者１３２および測定業者１４２であって、測定業者１３２は分析装置１３１ａ〜１３１ｃの３台の分析装置を有し、測定業者１４２は分析装置１４１ａ、１４１ｂの２台の分析装置を有している。検索手段１１２は、分析装置１３１ａ〜１３１ｃ、１４１ａ、１４１ｂの中から、産業設備１２１ａに対応してダイオキシン測定が可能なものを検索する。今回の場合は、分析装置１３１ｂおよび１４１ａが対応する装置であるとする。
【００４５】
次に検索手段１１１は、スケジューラ１１３を検索して、分析装置１３１ｂおよび１４１ａの現在および未来の利用状況を検索し、発注見積の入力に設定された、顧客１２２ａがダイオキシン測定を希望する日時と重ならないかどうかを確認する。分析装置１３１ａおよび１４１ｂの未来の利用状況が、顧客１２２ａがダイオキシン測定を希望する日時を含んでいる場合は、スケジュール調整サーバ１１０は、顧客端末１２０ａにその旨を通知し、顧客１２２ａに再度日時の設定を促す（ステップ２１０）。顧客１２２ａは、スケジュール調整サーバ１１０からの通知を受けると、新たな日時を発注見積の入力として再送信する（ステップ２２０）。このとき、発注見積の入力により設定された日時が、スケジューラ１１３に設定された分析装置の利用状況と重なり続ける限り、ステップ２１０〜ステップ２２０の動作は繰り返し行われる。
【００４６】
次に、スケジューラ１１３の検索の結果、分析装置１３１ｂおよび１４１ａの現在および未来の利用状況が、顧客１２２ａがダイオキシン測定を希望する日時と重ならない場合は、スケジュール調整サーバ１１０は、スケジューラ１１３に、この日時を分析装置１３１ｂおよび１４１ｂの未来の利用状況として仮設定する。さらに、検索手段１１１は、サンプリング会社データベース１１１ｃおよびスケジューラ１１３を参照して、サンプリング会社１５０のスケジュールが、分析装置１３１ｂおよび１４１ａの仮設定された利用状況に適合するかどうかの調整を行う。なお、本実施の形態では、サンプリング会社はサンプリング会社１５０だけなので、直接スケジューラ１１３を参照することができるが、サンプリング会社が複数ある場合は、測定会社データベース１１１ｂおよびサンプリング会社データベース１１１ｃを参照して、分析装置１３１ｂおよび１４１ａに適したサンプルの採取が可能なサンプリング会社を選択し、その選択したサンプリング会社のスケジュールを、スケジューラ１１３から選択する。
【００４７】
次に、検索手段１１２は、測定会社データベース１１１ｂを参照して、分析装置１３１ｂの保有者である測定業者１３０，分析装置１４１ａの保有者である測定業者１４０のそれぞれの測定業者情報と、サンプリング会社１５０のサンプリング業者情報とを取得し、顧客端末１２０ａへ送信する（ステップ２３０）。
【００４８】
顧客端末１２０ａが、測定業者情報およびサンプリング業者情報を受信し、これを顧客１２２ａが確認すると、顧客はこれら情報に基づいて、いずれの測定業者に依頼するか検討し、所望の業者を選定する。選定結果は、顧客端末１２０ａによりスケジュール調整サーバ１１０に送信される（ステップ２４０）。
【００４９】
次に、スケジュール調整サーバ１１０は、選定結果を受信すると、測定業者端末１３０に対し、分析装置１３１ｂが顧客１２２ａの発注見積において指定された日時に利用されるスケジュールが設定された旨を通知する（ステップ２５０）。また、スケジュール調整サーバは、サンプリング業者端末１４０に対し、顧客１２２ａが所望の日時にサンプル取得依頼のスケジュールが設定された旨を通知する（ステップ２５１）。
【００５０】
測定業者端末１３０が、スケジュール調整サーバ１１０からの通知を受けると、測定業者１３２は、通知に記載された日時に顧客１２２ａに対し測定業務を行う予定を立てて、予約内容を確定する。同様に、サンプリング業者端末１４０が、スケジュール調整サーバ１１０からの通知を受けると、サンプリング会社１４１は、通知に記載された日時に顧客１２２ａに対しサンプル採取業務を行う予定を立てて、予約内容を確定する。
【００５１】
各業者により確定された予約内容は、再度スケジュール調整サーバ１１０へ転送され（ステップ２５２，２５３）、スケジュール調整サーバ１１０は、スケジューラ１１３に仮設定された発注の日時を本設定するとともに、発注見積が正式な発注として完了した旨を顧客端末１２０ａへ通知する（ステップ２６０）。このとき、発注完了報告として、サンプリング会社１５０，測定業者１３０およびその各業者情報を、所定のフォーマットのデジタル文書の形式で転送するようにしてもよい。このデジタル文書は、ＷＷＷ等で閲覧できるよう、ｈｔｍｌ、ｘｍｌ等のフォーマットで作製しても良いし、電子すかし等を加えて、複製不可能な形式にされた画像ファイル、ｐｄｆファイル等にて実現してもよい。
【００５２】
サンプリング業者は発注で定められた日時に産業設備１２０ａから必要なサンプルを採取する業務を行い、これに続いて測定業者１３０はサンプルの分析を行い、過去のデータを元に産業設備１２０ａの測定を行う。測定業者側において、測定データはデータベース化され、例えば過去５年間の測定データ情報をつけて顧客１２２ａに添付され、これにより産業設備１２０ａの問題点等を指摘することができる。
【００５３】
なお、ステップ２５０の通知が行われた時点で、スケジューラ１１３に格納された測定業者情報の利用状況よりも、測定業者側の業務予定のほうが進んでいて、スケジューラ１１３の仮決定の日時と重なる場合は、測定業者１３２は、仮設定が無効となる旨をスケジュール調整サーバ１１１へ通知する。仮設定無効の通知を受けたスケジュール調整サーバ１１１は、スケジューラ１１３の内容を更新するとともに、その旨を顧客端末１２０ａへ通知し、顧客１２２ａに対し、再度測定希望日時を異ならせるよう促す。顧客１２２ａが再度日時を設定し、顧客端末１２０ａにより発注見積の入力を行うと、スケジュール調整サーバ１１０は、スケジューラ１１３に、この日時を分析装置１３１ｂの未来の利用状況として仮設定し、その旨を、測定業者端末１３０に通知する。この動作は、サンプリング業者の場合でも同様である。
【００５４】
また、上記の動作において、ステップ２４０で、顧客１２２ａは選定結果を顧客端末１２０ａによりスケジュール調整サーバ１１０に送信するとしたが、顧客はインターネット、電話他の手段を用いて、スケジュール調整サーバ１１０を介さず、直接測定業者およびサンプリング業者と交渉を行ってもよい。また、ステップ２００において発注見積の代わりに、いきなり発注を行っても良い。この場合、ステップ２４０の認証動作を省いて、正式な発注が完了する。
【００５５】
また、上記の動作において、顧客入力端末１２０ａからの発注見積の入力の具体的な内容は、ここではダイオキシン測定を希望する日時であるとしたが、他に、ダイオキシン測定に要するコスト、測定結果の納期等、またはこれらの組み合わせを含むようにしてもよい。さらに、測定を所望する項目を同時に発注見積するようにしてもよい。
【００５６】
また、上記の説明では、測定会社とサンプリング会社とは別個のものであるとしたが、これらの業務を兼務している会社も登録されるようにしてもよい。この場合、ダイオキシン測定スケジュール調整サーバ１００と通信する入力端末は当然一つになり、測定会社データベース１１１ｂ、１１１ｃには、同一業者のスケジュールが記録されることになる。
【００５７】
また、ダイオキシン測定スケジュール調整サーバ１００の運営者は、各入力端末へのＩＤの割り当て、発注見積の入力、選定結果の出力等に課金するようにしてもよい。
【００５８】
（実施の形態２）
図３は、本発明の実施の形態２によるダイオキシン測定スケジュール調整システムの構成を示す図である。図に示すように、ダイオキシン測定スケジュール調整システム３００において、図１と同一部または相当部には同一符号を付し、詳細な説明は省略する。また、簡単のため、顧客端末１２０ｂ、１２０ｃおよび産業設備１２１ｂ、１２１ｃ、各データベース１１１ａ〜１１１ｃ、測定業者１４２、は図示を省略した。また、モニタ装置１６０は、産業設備１２１ａの稼働状態をセンシングするセンシング手段１６１を有し、スケジュール調整サーバ１１０と通信を行う手段であり、判断手段１１４は、モニタ装置１６０からの通知に基づき、あらかじめ定めた基準値以上のダイオキシンが検出される恐れがあるかどうかの判断を行う手段である。
【００５９】
このような構成を有する、本発明の実施の形態２によるダイオキシン測定スケジュール調整システムの動作を説明するとともに、これにより、本発明のセンシング端末の動作およびダイオキシン測定スケジュール調整方法の他の実施の形態を説明する。ただし実施の形態１と同様の部分は省略し、相違点のみ述べる。
【００６０】
本実施の形態においては、顧客１２２ａが産業設備１２１ａを運転させている間、モニタ装置１６０は、産業設備１２１ａの運転状態をモニタするとともに、排出物について、リアルタイムで観測可能なものの数値をモニタする。モニタ結果は、数値データとしてスケジュール調整サーバ１１０へ直接送信される。
【００６１】
スケジュール調整サーバ１１０において、受信された数値データは判断手段１１４に転送される。判断手段１１４は、数値データを取得すると、これに基づき、産業設備１２１ａから、あらかじめ定めた基準値以上のダイオキシンが検出される恐れがあるかどうかを判断する。なお、基準値とは、顧客１２２ａにより産業設備１２１ａに対して設定するものであり、法定基準値よりもさらに低い値を定めるようにしている。
【００６２】
ここで産業設備１２１ａが廃棄物の焼却装置である場合は、焼却炉での燃焼管理状況と、排ガス処理部での管理状況がセンシング手段１６１を介してモニタリングされる。運転状態の一例として、焼却炉の温度および排ガスのＣＯ濃度が判断の対象となる。この場合センシング手段１６１は、温度計およびＣＯ濃度計として実現される。ダイオキシンは、廃棄物の焼却温度が８５０℃以下、あるいは排ガスのＣＯ濃度が３０ｐｐｍ以上になると、燃焼状態が悪く、ダイオキシンが生成される恐れがあるので、燃焼状態をチェックする。燃焼状態をチェックするとともに、排ガス中のダイオキシン前駆体であるクロロベンゼン、クロロフェノール類の濃度を検出する。検出量が、あらかじめ定めた所定量以上である場合は、燃焼炉または排ガス処理部の性能が低下して、上記基準値以上のダイオキシンが生成されている恐れがあると判断する。
【００６３】
判断手段１１４が、基準値以上のダイオキシンが検出される恐れがあると判断すると、スケジュール調整サーバ１１０は、検索手段１１２を動作させて、産業設備１２１ａの設備情報に対応した測定業者情報を検索する。今回の場合、測定業者は測定業者１３２のみであって、対応する分析装置は、分析装置１３１ａとする。次いで検索手段１１２は、スケジューラ１１３を検索して、分析装置１３１ａの利用状況およびサンプリング業者１５０のスケジュールを確認し、利用可能になる最も早いスケジュールを見つけると、この日付を含めた、ダイオキシンの測定を喚起する旨の告知を、顧客端末１２０ａに送信する。
【００６４】
顧客端末１２０ａが、この告知を受信すると、顧客１２２ａは、直ちに産業設備１２１ａのダイオキシンの測定を行うかどうかを判断することができる。直ちに測定を行う場合は、告知に含まれるスケジュールに基づいてもよいし、実施の形態１のように、別途日時を設定しても良い。また、どうしても早急に測定を行いたい場合は、その旨をスケジュール調整サーバ１１１に通知することで、スケジューラの１１３の内容を書き替えてもらうようにしてもよい。この場合、スケジュール調整サーバ１１１は、既に予約されている他の顧客（図示せず）にも通知を発して、顧客１２２ａの産業設備１２１ａがどの程度順番を繰り上げることができるかの調整を行う。
【００６５】
このように、本実施の形態によれば、測定業者の有する分析装置およびその利用予定と、発注見積を行う顧客の状態とをスケジュール調整サーバが一元的に管理するとともに、ダイオキシン測定を要する時期を、モニタ装置によって管理することにより、ダイオキシン測定業務に係る時間的なロスを省いてさらなる迅速化を図るとともに、より安全なダイオキシン測定を実現することが可能となる。
【００６６】
なお、モニタ装置１６０は、スケジュール調整サーバ１１１の管理者が顧客１２２ａに貸与するのが望ましいが、または顧客１２２ａに購入させて、モニタや通信に要するコストを徴収するようにしてもよい。
【００６７】
また、モニタ装置１６０は、スケジュール調整サーバ１１１と通信するものとして説明を行ったが、顧客端末１２０ａにモニタ結果を送信するようにしても良い。この場合、顧客１２２ａの判断で、スケジュール調整サーバへの受注の入力を行うことのできる効果がある。
【００６８】
また、センシング手段１６１は、温度計およびＣＯ濃度計として説明を行ったが、目的に応じて、他の計器を用いても良い。
【００６９】
（実施の形態３）
図４は、本発明の実施の形態３によるダイオキシン測定スケジュール調整システムの構成を示す図である。図に示すように、ダイオキシン測定スケジュール調整システム４００において、図１と同一部または相当部には同一符号を付し、詳細な説明は省略する。また、メンテナンス業者端末１７０は、スケジュール調整サーバ１１０と通信を行う手段であって、産業設備１２１ａ〜１２１ｃのメンテナンスを行うメンテナンス業者１７１が一台有している。
【００７０】
さらに、スケジュール調整サーバ１１０は、実施の形態１と同様の測定業者情報をデータベース１１１およびスケジューラ１１３に格納するほか、メンテナンス業者１７１のスケジュールをスケジューラ１１３に格納している。
【００７１】
このような本発明の実施の形態３によるダイオキシン測定スケジュール調整システムは、実施の形態１と同様にして、測定業者に加えて、顧客の有する産業設備のメンテナンスのスケジュールも同時に調整することができ、測定業者による分析結果に応じて、対象設備のメンテナンスサービスを迅速に行うことができる。
【００７２】
なお、上記の実施の形態においては、実施の形態１の構成にメンテナンス業者端末１７０を加える構成として説明を行ったが、実施の形態２の、モニタ装置１６０を有する構成にメンテナンス業者端末１７０を加えたものとしてもよい。特にこの場合、顧客１２２ａ〜１２２ｃが産業設備を稼働させている状態から、ダイオキシン測定およびそれに伴うメンテナンスまでのスケジュールを管理することが可能となり、さらに迅速なサービスを行うことができる。
【００７３】
また、本発明は、上記実施の形態に限らず、メンテナンス業者端末１７０を用いずに、スケジュール調整業者１１１の管理者が、直接メンテナンス業者と契約して、スケジュールを取得することにより実施しても良い。
【００７４】
なお、上記の説明において、顧客端末１２０ａ〜１２０ｃは本発明の第１装置および発注関連入力端末の一例であり、測定業者端末１３０，１４０は本発明の第２装置および測定業者情報入力端末の一例であり、サンプリング業者端末１５０は本発明の第３装置およびサンプリング業者情報入力端末の一例であり、スケジュール調整サーバ１１０は本発明の第４装置およびダイオキシン測定スケジュール調整装置の一例である。さらにモニタ装置１６０は本発明の第５装置およびセンシング端末の一例である。また、データベース１１１ａおよびスケジューラ１１３は、本発明の設備情報格納データベースの一例であり、測定会社データベース１１１ｂおよびスケジューラ１１３は、本発明の測定業者情報格納データベースの一例であり、サンプリング会社データベース１１１ｃおよびスケジューラ１１３は、本発明のサンプリング業者情報格納データベースの一例であり、検索手段１１２は本発明の選定手段の一例である。また、産業設備１２１ａ〜１２１ｃは本発明の所定の設備の一例である。また、顧客端末から行われる発注見積の入力および発注の入力は、本発明の発注関連入力の一例である。実施の形態１でも述べたように、発注関連入力は、見積等、発注に関連した情報の入力でも良いし、正式な発注そのものの入力であってもよい。また、測定会社データベース１１１ｂおよびスケジューラ１１３内の情報は、少なくとも、分析機器に関し、その個数、種類、操作に必要な人員の数、利用状況の全部または一部を含んでいればよい。
【００７５】
また、サンプリング会社データベース１１１ｃおよびスケジューラ１１３内の情報は、サンプルの採取に必要な設備に関し、その個数、種類、操作に必要な人員の数、利用状況の全部または一部を含んでいればよい。
上記の説明においては、産業設備の例は廃棄物の焼却装置であるとしたが、ダイオキシンの測定対象となるものであればよく、他に製鋼用の電気炉、鉄鋼用の焼結施設、亜鉛回収施設、アルミニウム合金施設等であってもよい。
【００７６】
なお、本発明のプログラムは、上述した本発明のダイオキシン測定スケジュール調整システム、ダイオキシン測定スケジュール調整装置の全部または一部の手段（または、装置、素子等）の機能をコンピュータにより実行させるためのプログラムであって、コンピュータと協働して動作するプログラムである。
【００７７】
また、本発明の記録媒体は、上述した本発明のダイオキシン測定スケジュール調整システム、ダイオキシン測定スケジュール調整装置の全部または一部の手段（または、装置、素子等）の全部または一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００７８】
なお、本発明の上記「一部の手段（または、装置、素子等）」とは、それらの複数の手段の内の、一つまたは幾つかの手段を意味し、本発明の上記「一部のステップ（または、工程、動作、作用等）」とは、それらの複数のステップの内の、一つまたは幾つかのステップを意味する。
【００７９】
また、本発明の上記「手段（または、装置、素子等）の機能」とは、前記手段の全部または一部の機能を意味し、本発明の上記「ステップ（または、工程、動作、作用等）の動作」とは、前記ステップの全部または一部の動作を意味する。
【００８０】
また、本発明のプログラムの一利用形態は、コンピュータにより読み取り可能な記録媒体に記録され、コンピュータと協働して動作する態様であっても良い。
【００８１】
また、本発明のプログラムの一利用形態は、伝送媒体中を伝送し、コンピュータにより読みとられ、コンピュータと協働して動作する態様であっても良い。
【００８２】
また、本発明のデータ構造としては、データベース、データフォーマット、データテーブル、データリスト、データの種類などを含む。
【００８３】
また、記録媒体としては、ＲＯＭ等が含まれ、伝送媒体としては、インターネット等の伝送媒体、光・電波・音波等が含まれる。
【００８４】
また、上述した本発明のコンピュータは、ＣＰＵ等の純然たるハードウェアに限らず、ファームウェアや、ＯＳ、更に周辺機器を含むものであっても良い。
【００８５】
以上説明した様に、本発明の構成は、ソフトウェア的に実現しても良いし、ハードウェア的に実現しても良い。
【００８６】
【発明の効果】
以上、説明したところから明らかように、本発明によれば、ダイオキシン測定業務の迅速化を図るとともに、対象設備のモニタリングおよびメンテナンスサービスを容易に行うことができるダイオキシン測定スケジュール調整システム等が得られる。
【図面の簡単な説明】
【図１】本発明の実施の形態１におけるダイオキシン測定スケジュール調整システムの構成を示す図
【図２】本発明の実施の形態１におけるダイオキシン測定スケジュール調整システムの動作を説明するためのタイムチャートを示す図
【図３】本発明の実施の形態２におけるダイオキシン測定スケジュール調整システムの構成を示す図
【図４】本発明の実施の形態３におけるダイオキシン測定スケジュール調整システムの構成を示す図
【符号の説明】
１００  ダイオキシン測定スケジュール調整システム
１１０  スケジュール調整サーバ
１１１  データベース
１１２  検索手段
１１３  スケジューラ
１１４  判断手段
１２０ａ〜１２０ｃ  顧客端末
１２１ａ〜１２１ｃ  産業設備
１２２ａ〜１２２ｃ  顧客
１２３ａ〜１２３ｃ  入力手段
１３０  測定業者端末
１３１ａ〜１３１ｃ、１４１ａ、１４１ｂ  分析装置
１３２、１４２  測定業者
１３３、１４３  入力手段
１５０  サンプリング業者端末
１５１  サンプリング会社
１５２  入力手段
【図１】
2004213079.tif 000003
【図２】
2004213079.tif 000004
【図３】
2004213079.tif 000005
【図４】
2004213079.tif 000006